(57)【特許請求の範囲】
【請求項１】
タグ交換パス接続性の検出方法において、源端に応用して、
源端に業務メッセージが存在する状況に対して検出し、前記源端に前記業務メッセージが存在しない場合には、第１の仮想業務メッセージを製造して送信し、前記源端に前記業務メッセージが存在する場合には、前記業務メッセージを送信するステップと、
前記源端から送信した前記業務メッセージまたは前記第１の仮想業務メッセージの周波数に対して検出し、検出結果を取得し、前記検出結果とユーザーによって配置される操作、管理、及び維持ＯＡＭ検出周波数を比較して、比較結果を得るステップと、
前記比較結果により、前記業務メッセージまたは前記第１の仮想業務メッセージの周波数が前記ＯＡＭ検出周波数より小さい場合には、第２の仮想業務メッセージを製造するステップと、
末端に前記業務メッセージ、前記第１の仮想業務メッセージまたは前記第２の仮想業務メッセージを送信するステップと
を含むことを特徴とするタグ交換パス接続性の検出方法。
【請求項２】
前記源端から送信した前記業務メッセージまたは前記第１の仮想業務メッセージの周波数に対して検出し、検出結果を取得し、前記検出結果とＯＡＭ検出周波数を比較して、比較結果を得るステップは、
前記源端が、ＯＡＭとタグ交換パスとの予め設けられたバインディング関係を介して、前記タグ交換パスに前記業務メッセージまたは前記第１の仮想業務メッセージを送信し、前記業務メッセージまたは前記第１の仮想業務メッセージの周波数について検出し、検出結果を得るステップと、
検出後の前記業務メッセージまたは前記第１の仮想業務メッセージの周波数を前記ＯＡＭ検出周波数と比較して、比較結果を得るステップとを含むことを特徴とする請求項１に記載の方法。
【請求項３】
前記比較結果が、前記業務メッセージまたは前記第１の仮想業務メッセージの周波数が前記ＯＡＭ検出周波数より小さい場合には、第２の仮想業務メッセージを製造するステップは、
前記業務メッセージまたは前記第１の仮想業務メッセージの周波数が前記ＯＡＭ検出周波数より小さい場合には、補償周波数を算出して、前記補償周波数によって第２の仮想業務メッセージを製造するステップを含むことを特徴とする請求項２に記載の方法。
【請求項４】
タグ交換パス接続性の検出方法において、末端に応用して、
末端は、源端から送信した業務メッセージ、前記業務メッセージが存在しない場合に製造された第１の仮想業務メッセージまたは前記業務メッセージと前記第１の仮想業務メッセージの周波数がユーザーによって配置される操作、管理、及び維持ＯＡＭ検出周波数より小さい場合に製造された第２の仮想業務メッセージを受信するステップと、
前記末端は、受信された前記業務メッセージ、前記第１の仮想業務メッセージまたは前記第２の仮想業務メッセージの周波数に対して検出し、検出結果を得るステップと、
前記末端は、前記検出結果によってパスの接続性を決定し、前記業務メッセージ、前記第１の仮想業務メッセージまたは前記第２の仮想業務メッセージに対して処理するステップと
を含むことを特徴とするタグ交換パス接続性の検出方法。
【請求項５】
前記末端は、前記検出結果によってパスの接続性を決定し、前記業務メッセージ、前記第１の仮想業務メッセージまたは前記第２の仮想業務メッセージに対して処理するステップは、
前記末端で受信された前記業務メッセージ、前記第１の仮想業務メッセージまたは前記第２の仮想業務メッセージの周波数が前記ＯＡＭ検出周波数より小さい場合には、通知生成指示を出力するステップと、
前記末端で受信された前記業務メッセージ、前記第１の仮想業務メッセージまたは前記第２の仮想業務メッセージの周波数が前記ＯＡＭ検出周波数より大きいまたは同じである場合には、前記第１の仮想業務メッセージまたは前記第２の仮想業務メッセージを識別し、前記業務メッセージを後続の業務配信処理プロセスに送付し、もし通知が存在する場合、通知消失指示を出力するステップとを含むことを特徴とする請求項４に記載の方法。
【請求項６】
タグ交換パス接続性を検出する装置において、源端に応用して、
源端に業務メッセージが存在する状況に対して検出し、前記源端に前記業務メッセージが存在しない場合には、第１の仮想業務メッセージを製造して送信し、前記源端に前記業務メッセージが存在する場合には、業務メッセージを送信するように配置されているメッセージ検出モジュールと、
前記源端から送信した前記業務メッセージまたは前記第１の仮想業務メッセージの周波数に対して検出し、検出結果を取得し、前記検出結果とユーザーによって配置されるＯＡＭ検出周波数を比較して、比較結果を得るように配置される第１の処理モジュールと、
前記比較結果が、前記業務メッセージまたは前記第１の仮想業務メッセージの周波数が前記ＯＡＭ検出周波数より小さい場合には、第２の仮想業務メッセージを製造するように配置されている製造モジュールと、
末端に前記業務メッセージ、前記第１の仮想業務メッセージまたは前記第２の仮想業務メッセージを送信するように配置されている周波数検出モジュールと
を含むことを特徴とするタグ交換パス接続性を検出する装置。
【請求項７】
前記第１の処理モジュールは、
ＯＡＭとタグ交換パスとの予め設けられたバインディング関係を介して、前記タグ交換パスに前記業務メッセージまたは前記第１の仮想業務メッセージを送信し、前記業務メッセージまたは前記第１の仮想業務メッセージの周波数に対して検出し、検出結果を得るように配置される検出ユニットと、
検出後の前記業務メッセージまたは前記第１の仮想業務メッセージの周波数を前記ＯＡＭ検出周波数と比較して、比較結果を得るように配置されている比較ユニットとを含むことを特徴とする請求項６に記載の装置。
【請求項８】
前記製造モジュールは、
前記業務メッセージまたは前記第１の仮想業務メッセージの周波数が前記ＯＡＭ検出周波数より小さい場合には、補償周波数を算出して、前記補償周波数によって第２の仮想業務メッセージを製造するように配置されていることを特徴とする請求項７に記載の装置。
【請求項９】
タグ交換パス接続性を検出する装置において、末端に応用して、
源端から送信された業務メッセージ、前記業務メッセージが存在しない場合に製造された第１の仮想業務メッセージまたは前記業務メッセージと第１の仮想業務メッセージの周波数がユーザーによって配置されるＯＡＭ検出周波数より小さい場合に製造された第２の仮想業務メッセージを受信するように配置されている受信モジュールと、
受信された前記業務メッセージ、前記第１の仮想業務メッセージまたは前記第２の仮想業務メッセージの周波数に対して検出し、検出結果を得るように配置される検出モジュールと、
前記検出結果によってパスの接続性を決定し、前記業務メッセージ、前記第１の仮想業務メッセージまたは前記第２の仮想業務メッセージに対して処理するように配置されている第２の処理モジュールと
を含むことを特徴とする装置。
【請求項１０】
前記第２の処理モジュールは、
前記末端で受信された前記業務メッセージ、前記第１の仮想業務メッセージまたは前記第２の仮想業務メッセージの周波数が前記ＯＡＭ検出周波数より小さい場合には、通知生成指示を出力するように配置される第１の処理ユニットと、
前記末端で受信された前記業務メッセージ、前記第１の仮想業務メッセージまたは前記第２の仮想業務メッセージの周波数が前記ＯＡＭ検出周波数より大きいまたは同じである場合には、前記第１の仮想業務メッセージまたは前記第２の仮想業務メッセージを識別し、前記業務メッセージを後続の業務配信処理プロセスに送付し、もし通知が存在する場合、通知消失指示を出力するように配置される第２の処理ユニットとを含むことを特徴とする請求項９に記載の装置。
【請求項１１】
コンピュータ記憶媒体であって、
コンピュータが実行可能な命令を格納し、前記コンピュータが実行可能な命令は、請求項１乃至請求項３のいずれかに記載の方法を実行するために使用されることを特徴とするコンピュータ記憶媒体。
【請求項１２】
コンピュータ記憶媒体であって、
コンピュータが実行可能な命令を格納し、前記コンピュータが実行可能な命令は、請求項４または請求項５に記載の方法を実行するために使用されることを特徴とするコンピュータ記憶媒体。
【発明の詳細な説明】
【技術分野】
【０００１】
本発明は、マルチプロトコルのタグ交換（ＭＰＬＳ、Multi-Protocol Label Switching）分野の操作、管理、及び維持（ＯＡＭ、Operation Administration and Maintenance）に関する技術であり、特にタグ交換パス接続性の検出方法及び装置に関するものである。
【背景技術】
【０００２】
従来は、タグ交換パスの故障を主にＯＡＭ機構を通じて検出し、ＯＡＭ機構は、リンクでＯＡＭ検出メッセージを送信して、リンクの故障を検出し、下記のような内容を含んでいる。つまり、源端から一定周期でＯＡＭ検出メッセージを送信して、末端で検出を行い、もし一定の周期内にＯＡＭ検出メッセージを受信できなかった場合には、リンクに障害が発生したと判断する。ＯＡＭ検出メッセージを送信時、一定の帯域幅リソースを消費して、特にリンク上で快速ＯＡＭ検出メッセージを送信すると、より多くの帯域幅リソースを消費して、ある程度、ユーザーの有効な帯域幅を低下させる。
【０００３】
関連技術では、タグ交換パス接続性の検出方法を提供しており、タグ交換パスを確立するとき、末端のタグ交換ルータは源端タグ交換ルータのＩＤとタグ交換パスをバインディングして保存し、その後、予定された周期で接続性検出タグを形成してユーザーデータのマルチプロトコルタグ交換タグスタックに圧入し、もし前記周期の３倍の時間の間に、関連するメッセージを検出できなかった場合には、タグ交換パスに問題が発生したと判断する。前記方法は、ＯＡＭ検出メッセージがない状況でタグ交換パスの問題を検出することができるが、末端で、源端タグ交換ルータのＩＤとタグ交換パスの結合関係を維持しなければならず、また、予定された周期で接続性検出タグを形成してユーザーデータのマルチプロトコルタグ交換タグスタックに圧入しなければならないので、ある程度、処理の複雑さが増加し、帯域幅に対して一定の損失がある。また、この方法は、ユーザーのメッセージがない状況でどのようにタグ交換パスの問題を検出するのかについて明確でない。
【発明の概要】
【発明が解決しようとする課題】
【０００４】
本発明に係る実施の形態の課題は、有効な帯域幅を最大に利用できるように、ＯＡＭ検出メッセージを挿入する原因で業務の有効帯域幅の損失がどのように減少するかの問題を解決するために、タグ交換パス接続性の検出方法と装置とを提供するものである。
【課題を解決するための手段】
【０００５】
前記目的を達成するために、本発明に係る実施の形態では、タグ交換パス接続性の検出方法が、源端に応用して、源端に業務メッセージが存在する状況に対して検出し、源端に業務メッセージが存在しない場合には、第１の仮想業務メッセージを製造して送信し、源端に業務メッセージが存在する場合には、業務メッセージを送信するステップと、源端から送信された業務メッセージまたは第１の仮想業務メッセージの周波数に対して検出し、検出結果を取得し、検出結果と操作、管理、及び維持ＯＡＭ検出周波数を比較して、比較結果を得るステップと、比較結果により、業務メッセージまたは第１の仮想業務メッセージの周波数がＯＡＭ検出周波数より小さい場合には、第２の仮想業務メッセージを製造するステップと、末端に業務メッセージ、第１の仮想業務メッセージまたは第２の仮想業務メッセージを送信するステップとを含んでいる。
【０００６】
ここで、源端から送信した業務メッセージまたは第１の仮想業務メッセージの周波数に対して検出し、検出結果を取得し、検出結果とＯＡＭ検出周波数を比較して、比較結果を得るステップは、源端が、ＯＡＭとタグ交換パスとの予め設けられたバインディング関係を通じて、タグ交換パスに業務メッセージまたは第１の仮想業務メッセージを送信し、業務メッセージまたは第１の仮想業務メッセージの周波数に対して検出し、検出結果を得るステップと、検出後の業務メッセージまたは第１の仮想業務メッセージの周波数をＯＡＭ検出周波数と比較して、比較結果を得るステップとを含んでいる。
【０００７】
ここで、比較結果が業務メッセージまたは第１の仮想業務メッセージの周波数がＯＡＭ検出周波数より小さい場合には、第２の仮想業務メッセージを製造するステップは、業務メッセージまたは第１の仮想業務メッセージの周波数がＯＡＭ検出周波数より小さい場合には、補償周波数を算出して、補償周波数によって第２の仮想業務メッセージを製造するステップを含んでいる。
【０００８】
本発明に係る実施の形態によれば、タグ交換パス接続性の検出方法が、末端に応用して、末端は、源端から送信した業務メッセージ、業務メッセージが存在しない場合に製造された第１の仮想業務メッセージや業務メッセージと前記第１の仮想業務メッセージの周波数が操作、管理、及び維持ＯＡＭ検出周波数より小さい場合に製造された第２の仮想業務メッセージを受信するステップと、末端は、受信した業務メッセージに、第１の仮想業務メッセージまたは第２の仮想業務メッセージの周波数に対して検出し、検出結果を得るステップと、末端は、検出結果によってパスの接続性を決定し、業務メッセージ、第１の仮想業務メッセージまたは第２の仮想業務メッセージに対して処理するステップとを含んでいる。
【０００９】
ここで、末端は、検出結果によってパスの接続性を決定し、業務メッセージ、第１の仮想業務メッセージまたは第２の仮想業務メッセージに対して処理するステップは、末端で受信された業務メッセージ、第１の仮想業務メッセージまたは第２の仮想業務メッセージの周波数がＯＡＭ検出周波数より小さい場合には、通知生成指示を出力するステップと、末端で受信された業務メッセージ、第１の仮想業務メッセージまたは第２の仮想業務メッセージの周波数がＯＡＭ検出周波数以上である場合には、第１の仮想業務メッセージまたは第２の仮想業務メッセージを識別して、業務メッセージを後続の業務配信処理プロセスに送付し、もし通知が存在する場合、通知消失指示を出力するステップとを含んでいる。
【００１０】
本発明に係る実施の形態によれば、タグの交換パス接続性を検出する装置は、源端に応用して、源端に業務メッセージが存在する状況に対して検出し、源端に業務メッセージが存在しない場合には、第１の仮想業務メッセージを製造して送信し、源端に業務メッセージが存在する場合には、業務メッセージを送信するように配置されているメッセージ検出モジュールと、源端から送信された業務メッセージまたは第１の仮想業務メッセージの周波数に対して検出し、検出結果を取得し、検出結果とＯＡＭ検出周波数を比較して、比較結果を得るように配置される第１の処理モジュールと、比較結果が業務メッセージまたは第１の仮想業務メッセージの周波数がＯＡＭ検出周波数より小さい場合には、第２の仮想業務メッセージを製造するように配置されている製造モジュールと、末端に業務メッセージ、第１の仮想業務メッセージまたは第２の仮想業務メッセージを送信するように配置されている周波数検出モジュールとを含んでいる。
【００１１】
ここで、第１の処理モジュールは、ＯＡＭとタグ交換パスとの予め設けられたバインディング関係を通じて、タグ交換パスに業務メッセージまたは第１の仮想業務メッセージを送信し、業務メッセージまたは第１の仮想業務メッセージの周波数に対して検出し、検出結果を得るように配置される検出ユニットと、検出後の業務メッセージまたは第１の仮想業務メッセージの周波数をＯＡＭ検出周波数と比較して、比較結果を得るように配置されている比較ユニットとを含んでいる。
【００１２】
ここで、製造モジュールは、業務メッセージまたは第１の仮想業務メッセージの周波数がＯＡＭ検出周波数より小さい場合には、補償周波数を算出して、補償周波数によって第２の仮想業務メッセージを製造するように配置されている。
【００１３】
本発明に係る実施の形態によれば、タグの交換パス接続性を検出する装置は、末端に応用して、源端から送信された業務メッセージ、業務メッセージが存在しない場合に製造された第１の仮想業務メッセージまたは業務メッセージと第１の仮想業務メッセージの周波数がＯＡＭ検出周波数より小さい場合に製造された第２の仮想業務メッセージを受信するように配置されている受信モジュールと、受信された業務メッセージ、第１の仮想業務メッセージまたは第２の仮想業務メッセージの周波数に対して検出し、検出結果を得るように配置される検出モジュールと、検出結果により、パスの接続性を決定し、業務メッセージ、第１の仮想業務メッセージまたは第２の仮想業務メッセージに対して処理するように配置されている第２の処理モジュールとを含んでいる。
【００１４】
ここで、第２の処理モジュールは、末端で受信された業務メッセージ、第１の仮想業務メッセージまたは第２の仮想業務メッセージの周波数がＯＡＭ検出周波数より小さい場合には、通知生成指示を出力するように配置される第１の処理ユニットと、末端で受信された業務メッセージ、第１の仮想業務メッセージまたは第２の仮想業務メッセージの周波数がＯＡＭ検出周波数以上である場合には、第１の仮想業務メッセージまたは第２の仮想業務メッセージを識別して、業務メッセージを後続の業務配信処理プロセスに送付し、もし通知が存在する場合、通知消失指示を出力するように配置される第２の処理ユニットとを含んでいる。
【００１５】
本発明に係る実施の形態によれば、コンピュータ記憶媒体は、コンピュータが実行可能な命令を格納し、コンピュータが実行可能な命令は、前記方法を実行するために使用される。
【発明の効果】
【００１６】
本発明に係る実施の形態によれば、下記の有益な効果を得ることができる。源端で、ユーザーが配置したＯＡＭ検出周波数の業務メッセージまたは第１の仮想業務メッセージの送信状況を監視し、すぐに補償周波数を算出して、補償周波数によって第２の仮想業務メッセージを製造し、ＯＡＭ検出周波数の要求を満足するようにして、末端で、ユーザーが配置したＯＡＭ検出周波数によって業務メッセージ、第１の仮想業務メッセージまたは第２の仮想業務メッセージの受信状況を監視して、リンクの接続性を決定し、ＯＡＭ検出メッセージを送信する必要がなく、ＯＡＭ検出メッセージを挿入する原因での業務の有効帯域幅の損失を効果的に解決することができ、また、この方法が検出する標準は、ユーザーによって配置され、業務フローに依頼せずに、より大きな柔軟性を備えている。一方、本発明に係る実施の形態では、第１の仮想業務メッセージを製造し、源端に業務メッセージがない状況下で送信して、源端に業務メッセージがない状況下でのパス接続性を正常に検出することができる。
【図面の簡単な説明】
【００１７】
【図１】本発明に係る実施の形態の源端に応用するタグ交換パス接続性の検出方法のステップを表示するフローチャートである。
【図２】本発明に係る実施の形態の源端に応用するタグ交換パス接続性の検出方法において、メッセージの周波数を検出し、ＯＡＭ検出周波数と比較するステップを表示するフローチャートである。
【図３】本発明に係る実施の形態の末端に応用するタグ交換パス接続性の検出方法のステップを表示するフローチャートである。
【図４】本発明に係る実施の形態の末端に応用するタグ交換パス接続性の検出方法において、メッセージの周波数によってパスの接続性を決定して、メッセージに対して処理するステップを表示するフローチャートである。
【図５】本発明に係る実施の形態のタグ交換パス接続性の検出方法を表示するフローチャートである。
【図６】本発明に係る実施の形態のタグ交換パス接続性の検出方法のネットワーク構造を表示する例示図である。
【図７】本発明に係る実施の形態の源端に応用するタグ交換パス接続性を検出する装置を表示するブロック図である。
【図８】本発明に係る実施の形態の源端に応用するタグ交換パス接続性を検出する装置のうちの第１の処理モジュールを表示するブロック図である。
【図９】本発明に係る実施の形態の末端に応用するタグ交換パス接続性を検出する装置を表示するブロック図である。
【図１０】本発明に係る実施の形態の末端に応用するタグ交換パス接続性を検出する装置のうちの第２の処理モジュールを表示するブロック図である。
【図１１】本発明に係る実施の形態のタグ交換パス接続性を検出する装置を表示するブロック図である。
【発明を実施するための形態】
【００１８】
以下、図面と具体的な実施の形態を組み合わせて本発明について詳細に説明する。
本発明に係る実施の形態は、関連技術のタグ交換パス接続性を検出する方法に存在する、業務の有効帯域幅について損失したり、処理が複雑である、業務メッセージがないときに検出できないという問題に対し、タグ交換パス接続性を検出する方法及び装置を提供し、源端でユーザーが配置したＯＡＭ検出周波数によって業務メッセージまたは第１の仮想業務メッセージの送信状況を監視して、ＯＡＭ検出周波数の要求に満足するようにすぐに補償周波数を算出して補償周波数によって第２の仮想業務メッセージを製造し、末端でユーザーが配置したＯＡＭ検出周波数によって業務メッセージ、第１の仮想業務メッセージまたは第２の仮想業務メッセージの受信状況を監視して、リンクの接続性を決定し、ＯＡＭ検出メッセージを送信する必要がなく、ＯＡＭ検出メッセージを挿入する原因での業務の有効帯域幅の損失を効果的に解決することができ、また、本発明に係る実施の形態において、第１の仮想業務メッセージを製造し、源端の業務メッセージがない状況下で送信するので、源端に業務メッセージがない状況でパス接続性を正常に検出する目的を実現する。
【００１９】
図１に示すように、本発明に係る実施の形態では、タグ交換パス接続性を検出する方法を提供し、その方法は、源端に応用し、下記のステップを含んでいる。
ステップS100において、源端に業務メッセージが存在する状況に対して検出し、源端に業務メッセージが存在しない場合には、第１の仮想業務メッセージを製造して送信し、源端に業務メッセージが存在する場合には、業務メッセージを送信する。
ステップS200において、源端から送信された業務メッセージまたは第１の仮想業務メッセージの周波数に対して検出し、検出結果を取得し、検出結果とＯＡＭ検出周波数を比較して、比較結果を得る。
【００２０】
ステップS300において、比較結果が業務メッセージまたは第１の仮想業務メッセージの周波数がＯＡＭ検出周波数より小さい場合には、第２の仮想業務メッセージを製造する。
ステップS400において、末端に業務メッセージ、第１の仮想業務メッセージまたは第２の仮想業務メッセージを送信し、受信した業務メッセージ、第１の仮想業務メッセージまたは第２の仮想業務メッセージの周波数に対して末端により検出して、パスの接続性を決定する。
【００２１】
説明しなければならないのは、第１の仮想業務メッセージと第２の仮想業務メッセージは源端から送信される特別なユーザーメッセージであり、これらのメッセージは、タグの交換経路を通じて末端に到達することができ、末端でパスの連続性を検出し、具体的なユーザーに送付しないことである。源端に業務メッセージが存在しない場合には、第１の仮想業務メッセージを製造して業務メッセージの代わりに送信し、経路上の業務メッセージまたは第１の仮想業務メッセージの周波数がＯＡＭ検出周波数に達していない場合は、第２の仮想業務メッセージを製造して、末端が業務メッセージを正常に検出することができるようにする。
【００２２】
好ましくは、源端で、ユーザーが配置したＯＡＭ検出周波数によって業務メッセージまたは第１の仮想業務メッセージの送信状況を監視して、ＯＡＭ検出周波数要求に満足するようにすぐに補償周波数を算出して補償周波数によって第２の仮想業務メッセージを製造し、末端で、ユーザーが配置したＯＡＭ検出周波数によって業務メッセージ、第１の仮想業務メッセージまたは第２の仮想業務メッセージの受信状況を監視して、リンクの接続性を決定し、ＯＡＭ検出メッセージを送信する必要がなく、ＯＡＭ検出メッセージを挿入する原因での業務の有効帯域幅の損失を効果的に解決することができる。
【００２３】
本発明の実施の形態において、図２に示すように、ステップS200は下記のステップを含んでいる。
ステップS201において、源端は、ＯＡＭとタグ交換パスとの予め設けられたバインディング関係を通じて、タグ交換パスに業務メッセージまたは第１の仮想業務メッセージを送信し、業務メッセージまたは第１の仮想業務メッセージの周波数に対して検出し、検出結果を得る。
ステップS202において、検出後の業務メッセージまたは第１の仮想業務メッセージの周波数をＯＡＭ検出周波数と比較して、比較結果を得る。
【００２４】
説明しなければならないのは、ＯＡＭが検出された周波数（または周期）は、ＯＡＭの唯一のマークであり、源端はＯＡＭとタグ交換パスのバインディング関係を事前に配置し、配置情報を保存することである。
【００２５】
好ましくは、源端が業務メッセージまたは第１の仮想業務メッセージを送信する場合には、ＯＡＭとタグ交換パスとの予め設けられたバインディング関係を通じて、タグ交換パスに業務メッセージまたは第１の仮想業務メッセージを送信し、業務メッセージまたは第１の仮想業務メッセージの周波数に対して検出し、検出結果を得て、得た検出結果とＯＡＭ検出周波数を比較して、比較結果を得る。
【００２６】
本発明の実施の形態においては、ステップS300は、下記のステップを含んでいる。
業務メッセージまたは第１の仮想業務メッセージの周波数がＯＡＭ検出周波数より小さい場合には、補償周波数を算出して、補償周波数によって第２の仮想業務メッセージを製造する。
【００２７】
好ましくは、源端から送信された業務メッセージまたは第１の仮想業務メッセージの周波数がＯＡＭ検出周波数より小さい場合には、ＯＡＭの検出周波数に到達するために、業務メッセージまたは第１の仮想業務メッセージの周波数とＯＡＭ検出周波数との間の補償周波数を算出する必要があり、補償周波数によって第２の仮想業務メッセージを製造する。
【００２８】
説明しなければならないのは、末端に送信したものが第１の仮想業務メッセージ、それとも第２の仮想業務メッセージであっても、全部タグ交換パスに沿って転送することができ、しかし、第１の仮想業務メッセージまたは第２の仮想業務メッセージのパッケージしたタグは、業務メッセージが使用するタグと区別すべきであって、その他のパッケージ情報は業務メッセージと同じでなければならないことである。
【００２９】
本発明に係る実施の形態では、タグ交換パス接続性を検出する方法を提供し、この方法は、末端に応用して、図３に示すように下記のステップを含んでいる。
ステップS500において、末端は、源端から送信した業務メッセージ、業務メッセージが存在しない場合に製造された第１の仮想業務メッセージまたは業務メッセージと第１の仮想業務メッセージの周波数がＯＡＭ検出周波数より小さい場合に製造された第２の仮想業務メッセージを受信する。
ステップS600において、末端は、受信された業務メッセージ、第１の仮想業務メッセージまたは第２の仮想業務メッセージの周波数に対して検出し、検出結果を得る。
ステップS700において、末端は検出結果によってパスの接続性を決定し、業務メッセージ、第１の仮想業務メッセージまたは第２の仮想業務メッセージに対して処理する。
【００３０】
好ましくは、末端は、受信した業務メッセージ、第１の仮想業務メッセージまたは第２の仮想業務メッセージの周波数に対して検出し、設けられたＯＡＭ検出周波数と検出された結果を比較して、パスの接続性を決定する。パスの接続性を決定した後、受信した業務メッセージ、第１の仮想業務メッセージまたは第２の仮想業務メッセージに対して処理する。
【００３１】
本発明の実施の形態において、図４に示すように、ステップS700は下記のステップを含んでいる。
ステップS701において、末端が受信された業務メッセージ、第１の仮想業務メッセージまたは第２の仮想業務メッセージの周波数がＯＡＭ検出周波数より小さい場合には、通知生成指示を出力する。
ステップS702において、末端が受信された業務メッセージ、第１の仮想業務メッセージまたは第２の仮想業務メッセージの周波数がＯＡＭ検出周波数より大きいまたは同じである場合には、第１の仮想業務メッセージまたは第２の仮想業務メッセージを識別して、業務メッセージを後続の業務配信処理プロセスに送付し、もし通知が存在する場合、通知消失指示を出力する。
【００３２】
好ましくは、末端が受信された業務メッセージ、第１の仮想業務メッセージまたは第２の仮想業務メッセージの周波数がＯＡＭ検出周波数より小さい場合には、パスの接続性が損害されたことを示し、このとき、通知生成指示を出力して、通知生成指示に対して処理する必要があり、末端が受信された業務メッセージ、第１の仮想業務メッセージまたは第２の仮想業務メッセージの周波数がＯＡＭ検出周波数より大きいまたは同じである場合には、パスの接続性が良いことを示し、業務メッセージ、第１の仮想業務メッセージまたは第２の仮想業務メッセージに対して識別し、識別した第１の仮想業務メッセージまたは第２の仮想業務メッセージを後続の業務配信処理プロセスに送付せず、識別した業務メッセージを後続の業務配信処理プロセスに送付する。パスの接続性が良いことを検出した場合、もし通知が存在する場合には、通知消失指示を出力して、通知消失指示に対して処理する。説明しなければならないのは、通知消失指示を処理することは、本端末の状態を更新し、必要に応じて、源端に通知状態を通知することを担うことを含んでいる点である。通知生成指示を処理することは、本端末の状態を更新し、必要に応じて、源端に通知状態を通知することを担うことを含んでいる。
【００３３】
本発明の実施の形態において、図５と図６に示すように、源端と末端は、中間ノードによって接続性され、源端から送信された業務メッセージ、第１の仮想業務メッセージまたは第２の仮想業務メッセージが末端に到着した後、末端により業務メッセージ、第１の仮想業務メッセージまたは第２の仮想業務メッセージの周波数を検出して、パスの接続性を決定する。この方法は、ＯＡＭ検出メッセージを送信する必要がなく、ＯＡＭ検出メッセージを挿入する原因での業務の有効帯域幅の損失を効果的に解決することができる。
【００３４】
本発明に係る実施の形態では、タグ交換パス接続性を検出する装置を提供し、この装置は、源端に応用されて、図７に示すように、下記のモジュールを含んでいる。
即ち、源端に業務メッセージが存在する状況に対して検出し、源端に業務メッセージが存在しない場合には、第１の仮想業務メッセージを製造して送信し、源端に業務メッセージが存在する場合には、業務メッセージを送信するように配置されているメッセージ検出モジュール10と、源端から送信された業務メッセージまたは第１の仮想業務メッセージの周波数に対して検出し、検出結果を取得し、検出結果とＯＡＭ検出周波数を比較して、比較結果を得るように配置される第１の処理モジュール20と、比較結果が業務メッセージまたは第１の仮想業務メッセージの周波数がＯＡＭ検出周波数より小さい場合には、第２の仮想業務メッセージを製造するように配置されている製造モジュール30と、末端に業務メッセージ、第１の仮想業務メッセージまたは第２の仮想業務メッセージを送信し、受信した業務メッセージ、第１の仮想業務メッセージまたは第２の仮想業務メッセージの周波数に対して末端により検出して、パスの接続性を決定するように配置されている周波数検出モジュール40とを含んでいる。
【００３５】
本発明の実施の形態において、図８に示すように、第１の処理モジュール20は、下記のユニットを含んでいる。
即ち、ＯＡＭとタグ交換パスとの予め設けられたバインディング関係を介して、タグ交換パスに業務メッセージまたは第１の仮想業務メッセージを送信し、業務メッセージまたは第１の仮想業務メッセージの周波数に対して検出し、検出結果を得るように配置される検出ユニット21と、検出後の業務メッセージまたは第１の仮想業務メッセージの周波数をＯＡＭ検出周波数と比較して、比較結果を得るように配置されている比較ユニット22とを含んでいる。
【００３６】
本発明の実施の形態において、製造モジュール30は、業務メッセージまたは第１の仮想業務メッセージの周波数がＯＡＭ検出周波数より小さい場合には、補償周波数を算出して、補償周波数によって第２の仮想業務メッセージを製造するように配置される。
【００３７】
本発明に係る実施の形態では、タグ交換パス接続性を検出する装置を提供し、この装置は、末端に応用されて、図９に示すように、下記のモジュールを含んでいる。
即ち、源端から送信された業務メッセージ、業務メッセージが存在しない場合に製造された第１の仮想業務メッセージまたは業務メッセージと第の１仮想業務メッセージの周波数がＯＡＭ検出周波数より小さい場合に製造された第２の仮想業務メッセージを受信するように配置されている受信モジュール50と、受信された業務メッセージ、第１の仮想業務メッセージまたは第２の仮想業務メッセージの周波数に対して検出し、検出結果を得るように配置される検出モジュール60と、検出結果により、パスの接続性を決定し、業務メッセージ、第１の仮想業務メッセージまたは第２の仮想業務メッセージに対して処理するように配置されている第２の処理モジュール70とを含んでいる。
【００３８】
本発明の実施の形態において、図１０に示すように、第２の処理モジュール70は、下記のようなユニットを含んでいる。
即ち、末端が受信された業務メッセージ、第１の仮想業務メッセージまたは第２の仮想業務メッセージの周波数がＯＡＭ検出周波数より小さい場合には、通知生成指示を出力するように配置される第１の処理ユニット71と、末端が受信された業務メッセージ、第１の仮想業務メッセージまたは第２の仮想業務メッセージの周波数がＯＡＭ検出周波数より大きいまたは同じである場合には、第１の仮想業務メッセージまたは第２の仮想業務メッセージを識別して、業務メッセージを後続の業務配信処理プロセスに送付し、もし通知が存在する場合には、通知消失指示を出力するように配置される第２の処理ユニット72とを含んでいる。
【００３９】
図１１は、本発明に係る実施の形態のタグ交換パス接続性を検出する装置のブロック図であり、メッセージ検出モジュール10を通じて源端に業務メッセージが存在するかどうかを検出して、送信しようとするメッセージが業務メッセージか、それとも第１の仮想業務メッセージかを決定する。第１の処理モジュール20を通じて業務メッセージまたは第１の仮想業務メッセージの周波数に対して検出し、検出結果を取得し、検出結果とＯＡＭ検出周波数を比較して、比較結果を得、業務メッセージまたは第１の仮想業務メッセージの周波数がＯＡＭ検出周波数より小さい場合、製造モジュール30を介して第２の仮想業務メッセージを製造し、最終的に周波数検出モジュール40を介して末端に送信業務メッセージ、第１の仮想業務メッセージまたは第２の仮想業務メッセージを送信し、末端が業務メッセージ、第１の仮想業務メッセージまたは第２の仮想業務メッセージの周波数に対して検出してパスの接続性を決定する。末端に応用される受信モジュール50は、まず源端から送信される業務メッセージ、第１の仮想業務メッセージまたは第２の仮想業務メッセージを受信し、検出モジュール60を介して業務メッセージ、第１の仮想業務メッセージまたは第２の仮想業務メッセージの周波数に対して検出し、検出した後、第２の処理モジュール70を介して業務メッセージ、第１の仮想業務メッセージまたは第２の仮想業務メッセージに対して処理する。
【００４０】
本発明に係る実施の形態のタグ交換パス接続性の検出方法は、源端で、ユーザーが配置したＯＡＭ検出周波数によって業務メッセージまたは第１の仮想業務メッセージの送信状況を監視し、ＯＡＭ検出周波数要求を満足するようにすぐに補償周波数を算出して補償周波数によって第２の仮想業務メッセージを製造し、末端で、ユーザーが配置したＯＡＭ検出周波数によって業務メッセージ、第１の仮想業務メッセージまたは第２の仮想業務メッセージの受信状況を監視して、リンクの接続性を決定し、ＯＡＭ検出メッセージを送信する必要がなく、ＯＡＭ検出メッセージを挿入する原因での業務の有効帯域幅の損失を効果的に解決することができ、また、ここ方法が検出する標準は、ユーザーによって配置され、業務フローに依頼せずに、これによって、より大きな柔軟性を備える。本発明に係る実施の形態は、第１の仮想業務メッセージを製造し、源端に業務メッセージが存在しない状況で送信するので、パスの接続性を正常に検出することができる。
【００４１】
ただし、本発明に係る実施の形態で提供されているタグ交換パス接続性を検出する装置は、この方法を応用する装置であるので、この方法のすべての実施の形態に前記装置を適用することができ、同一または類似の有益な効果を得ることができる。
【００４２】
以上での説明については、本発明の好ましい実施の形態であり、当業者にとって、本発明の原理を逸脱しない前提の下で、いろいろ改善したり修飾することができ、これらの改善と修飾も本発明の保護範囲内に含まれる。
【００４３】
当業者にとって、前記実施の形態の全部または部分的なステップは、コンピュータプログラムのプロセスによって実現されることがあることを理解しなければならず、前記コンピュータプログラムは、コンピュータが読み取り可能な記憶媒体に保存することができ、前記コンピュータプログラムは、対応するハードウェアプラットフォーム（例えば、システム、デバイス、装置、素子等）で行われ、実行されるとき、方法の実施形態のステップの１つまたは組み合わせを含む。
【００４４】
好ましくは、前記実施の形態の全部または部分的なステップは、集積回路で実現することができ、これらのステップは、それぞれ一つ一つの集積回路モジュールに製造されることができ、またはその複数のモジュールまたはステップを単一の集積回路モジュールで実現することができる。
【００４５】
前記実施の形態の各デバイス／機能モジュール／機能ユニットは、一般的な計算装置を使用して実現することができ、これらを単一の計算装置に集中させることができ、複数の計算装置で構成されたネットワークに分布することもできる。
【００４６】
前記実施の形態の各デバイス／機能モジュール／機能ユニットは、ソフトウエアの機能モジュールとして実現して、独立した製品として販売または使用する場合は、１つのコンピュータが読み取り可能な記憶媒体に保存することができる。上述したコンピュータが読み取り可能な記憶媒体は、メモリ、ディスク、またはＣＤなどである。
【産業上の利用可能性】
【００４７】
本発明の技術特徴は、ＯＡＭ検出メッセージを送信する必要がなく、ＯＡＭ検出メッセージを挿入する原因での業務の有効帯域幅の損失を効果的に解決することができ、また、この方法で検出した基準は、ユーザーによって配置され、業務フローに依頼せずに、より大きな柔軟性を備える。また、この前記技術特徴は、第１の仮想業務メッセージを製造し、源端に業務メッセージが存在しない状況で送信し、源端に業務メッセージがない状況下でのパス接続性を正常に検出することができる目的を実現する。
【図１】
0006509344.tif 000002
【図２】
0006509344.tif 000003
【図３】
0006509344.tif 000004
【図４】
0006509344.tif 000005
【図５】
0006509344.tif 000006
【図６】
0006509344.tif 000007
【図７】
0006509344.tif 000008
【図８】
0006509344.tif 000009
【図９】
0006509344.tif 000010
【図１０】
0006509344.tif 000011
【図１１】
0006509344.tif 000012